(57)【要約】【課題】指向性の異なる複数の固体光源を用いつつ、投写映像において色ムラが生じることを防止する照明装置及び投写型映像表示装置を提供する。【解決手段】本発明に係る照明装置１２０は、第１指向性の光を出射する第１の固体光源と、第１指向性よりも広い第２指向性の光を出射する第２の固体光源と、第１の固体光源が配置される第１配置面が設けられた第１配置部材と、第２の固体光源が配置される第２配置面が設けられた第２配置部材と、光を低分散角化する光学ユニットとを備え、光学ユニットは、第１の固体光源が出射する光が照射される第１入射面と、第２の固体光源が出射する光が照射される第２入射面とを備え、第１配置面と第１入射面とが対向し、第２配置面と第２入射面とが対向しており、第２配置面から第２入射面までの距離は、第１配置面から第１入射面までの距離よりも長い。【選択図】図２
2008170966.tif 000002
【特許請求の範囲】
【請求項１】
第１指向性の光を出射する第１の固体光源と、前記第１指向性よりも広い第２指向性の光を出射する第２の固体光源と、前記第１の固体光源が配置される第１配置面が設けられた第１配置部材と、前記第２の固体光源が配置される第２配置面が設けられた第２配置部材と、前記第１の固体光源が出射する光及び前記第２の固体光源が出射する光を低分散角化する光学ユニットとを備える照明装置であって、
前記第１の固体光源が出射する光の波長と、前記第２の固体光源が出射する光の波長とが異なり、
前記光学ユニットは、前記第１の固体光源が出射する光が照射される第１入射面と、前記第２の固体光源が出射する光が照射される第２入射面とを備え、
前記第１配置面と前記第１入射面とが対向し、前記第２配置面と前記第２入射面とが対向しており、
前記第２配置面から前記第２入射面までの距離は、前記第１配置面から前記第１入射面までの距離よりも長いことを特徴とする照明装置。
【請求項２】
前記第２配置部材は、前記第２配置面として底面を有する凹部を備えることを特徴とする請求項１に記載の照明装置。
【請求項３】
前記凹部の傾斜面は、前記第２の固体光源から出射される光を前記第２入射面へ反射する反射面によって構成されることを特徴とする請求項２に記載の照明装置。
【請求項４】
前記第１配置部材は、前記第１配置面として上面を有する台座部を備えることを特徴とする請求項１に記載の照明装置。
【請求項５】
前記光学ユニットは、前記第１入射面と前記第２入射面とを同一の入射面として有する単数の光学素子であり、
前記第１配置部材と第２配置部材とは、一体物で形成されていることを特徴とする請求項１乃至４のいずれか１項に記載の照明装置。
【請求項６】
前記第１の固体光源及び前記第２の固体光源は、それぞれ、複数の固体光源によって構成されることを特徴とする請求項１乃至５のいずれか１項に記載の照明装置。
【請求項７】
前記光学ユニットは、前記第１入射面と前記第２入射面とを同一の入射面として有する単数の光学素子であり、
前記第１配置部材は、前記第１配置面として上面を有する台座部を備えており、
前記第２配置部材は、前記第２配置面として底面を有する凹部を備えており、
前記台座部の傾斜面が前記凹部の傾斜面となるように、前記第１配置部材及び第２配置部材が隣り合わせで配置されており、
前記台座部の傾斜面は、前記第２の固体光源から出射される光を前記第２入射面へ反射する反射面によって構成されることを特徴とする請求項１に記載の照明装置。
【請求項８】
請求項１乃至７のいずれか１項に記載の照明装置と、前記照明装置から照射された光を変調する光変調素子と、前記光変調素子によって変調された光をスクリーンに投写する投写レンズとを備えることを特徴とする投写型映像表示装置。
【発明の詳細な説明】
【技術分野】
【０００１】
本発明は、出射する光の指向性がそれぞれ異なる複数の固体光源と、入射した光を低分散角化する光学ユニットとを備える照明装置及び投写型映像表示装置に関する。
【背景技術】
【０００２】
従来、ＲＧＢ（赤、緑、青）色等、異なる色光を発する複数の固体光源を備え、当該固体光源から発する色光で映像を投写する投写型映像表示装置が知られている（例えば、特許文献１参照）。
【０００３】
図１５には、上述した投写型映像表示装置の一例が示されている。図１５に示すように、投写型映像表示装置は、複数の固体光源を備えるマルチチップ型の光源１０と、複数の個体光源から出射された各色光を表示パネル３０に導くテーパ型ロッドインテグレータ２１と、入射した色光を変調し映像光として出射する表示パネル３０と、映像光をスクリーン等へ投写する投写レンズユニット１１０とを備えている。
【０００４】
一般的に、上述した構成の投写型映像表示装置において、光源１０は、出射する色光を取り逃がさないように、できるだけテーパ型ロッドインテグレータ２１に近づけて配置することが望ましい。そこで、通常、光源１０とテーパ型ロッドインテグレータ２１とは、振動や熱等の伝達を回避するための間隔が設けられているが、できるだけ狭い間隔で配置されている（例えば、１ｍｍ程度）。
【特許文献１】特開２０００−１１２０３１号公報
【発明の開示】
【発明が解決しようとする課題】
【０００５】
ところで、固体光源から発する色光は、分散角の小さい色光ほど光学系における光利用効率が高い。よって、ＬＥＤ（発光ダイオード）を固体光源として利用する際には、モールドレンズやフォトニック結晶などを用いて、固体光源から出射される色光の指向性の改善が図られている。
【０００６】
しかしながら、複数の固体光源として、赤色光を発する赤色ＬＥＤ、緑色光を発する緑色ＬＥＤ、青色光を発する青色ＬＥＤを用いる場合、発する光の指向性を均一にすることが困難である。
【０００７】
具体的に、赤色光を発する赤色ＬＥＤでは、一般的にＡｌｌｎＧａＰ系が材料として用いられているのに対し、緑色光及び青色光を発する緑色ＬＥＤ及び青色ＬＥＤでは、ＩｎＧａＮ系が材料として用いられている。よって、例えば、赤色ＬＥＤでは、図１６（ａ）に示すような分散角分布になるが、緑色ＬＥＤ及び青色ＬＥＤでは、図１６（ｂ）に示すような分散角分布になり、特に、−６０°乃至−３０°の分散角範囲と、３０°乃至６０°の分散角範囲とにおいて光強度の差が大きい。
【０００８】
このように、指向性の異なる各色ＬＥＤを用いた投写型映像表示装置では、各色光を同一構造の光学系により表示パネル３０に導いた場合、表示パネル３０上において、色光ごとに、照度分布（照明面内での明るさの偏り）、分散角分布（図１６（ａ）乃至（ｂ）に示す分布状態）、分散角面内分布（照射面内の各箇所での分散角分布）等に違いが生じ、スクリーン上の投写映像に色ムラが発生して、映像品質を大きく劣化させることになる。
【０００９】
そこで、本発明は以上の点に鑑みてなされたもので、指向性の異なる複数の固体光源を用いつつ、投写映像において色ムラが生じることを抑制する照明装置及び投写型映像表示装置を提供することを目的とする。
【課題を解決するための手段】
【００１０】
第１の特徴に係る照明装置は、第１指向性の光を出射する第１の固体光源（緑色ＬＥＤ１０ｂ又は青色ＬＥＤ１０ｃ）と、前記第１指向性よりも広い第２指向性の光を出射する第２の固体光源（赤色ＬＥＤ１０ａ）と、前記第１の固体光源が配置される第１配置面（例えば、配置面Ｆ１）が設けられた第１配置部材（例えば、コアボード部材１１）と、前記第２の固体光源が配置される第２配置面（例えば、配置面Ｆ２）が設けられた第２配置部材（例えば、コアボード部材１１）と、前記第１の固体光源が出射する光及び前記第２の固体光源が出射する光を低分散角化する光学ユニット（例えば、テーパ型ロッドインテグレータ２１）とを備える。前記第１の固体光源が出射する光（例えば、緑色光又は青色光）の波長と、前記第２の固体光源が出射する光（例えば、赤色光）の波長とが異なる。前記光学ユニットは、前記第１の固体光源が出射する光が照射される第１入射面（例えば、入射面２１ａ）と、前記第２の固体光源が出射する光が照射される第２入射面（例えば、入射面２１ａ）とを備える。前記第１配置面と前記第１入射面とが対向し、前記第２配置面と前記第２入射面とが対向している。前記第２配置面から前記第２入射面までの距離は、前記第１配置面から前記第１入射面までの距離よりも長い。
【００１１】
かかる特徴によれば、照明装置では、第１の固体光源が配置される第１配置面から光学ユニットの第１入射面までの距離よりも、第２の固体光源が配置される第２配置面から光学ユニットの第２入射面までの距離の方が長い。よって、従来技術に係る照明装置では、第２の固体光源から出射される分散角の大きい光が第２の入射面に照射されていたが、上述した照明装置では、第２の固体光源から出射される第２指向性の光の内、分散角の小さい光を光学ユニットの第２入射面に照射し、分散角の大きい光を第２入射面に照射することを抑制する。つまり、照明装置は、第２の固体光源から第２入射面に照射される第２指向性の光の分散角分布と、第１の固体光源から第１入射面に照射される第１指向性の光の分散角分布との差を低減することができる。このような特徴によれば、照明装置は、指向性の異なる複数の固体光源を用いつつ、投写映像において色ムラが生じることを抑制することができる。なお、本明細書において、分散角は、図１６（ａ）乃至（ｂ）に示す分散角を“θｚ”とした場合、分散角“θｚ”の絶対値“｜θｚ｜”の角度が大きい（例えば、「９０°」に近い）ほど分散角が大きいこととする。“｜θｚ｜”の角度が小さいほど（例えば、「０°」に近い）ほど分散角が小さいこととする。
【００１２】
上述した第１の特徴において、前記第２配置部材は、前記第２配置面として底面を有する凹部（凹部１２）を備える。
【００１３】
かかる特徴によれば、照明装置では、凹部の底面に第２配置面が設けられているので、第１の固体光源が配置される第１配置面から光学ユニットの第１入射面までの距離よりも、第２の固体光源が配置される第２配置面から光学ユニットの第２入射面までの距離の方が長くできる。よって、照明装置では、第２の固体光源から出射される第２指向性の光の内、分散角の大きい光が第２入射面に照射されてしまうことを抑制し、第２入射面に照射される光の分散角分布と第１入射面に照射される光の分散角分布との差を低減することができる。このような特徴によれば、照明装置は、指向性の異なる複数の固体光源を用いつつ、投写映像において色ムラが生じることを抑制することができる。
【００１４】
上述した第１の特徴において、前記凹部の傾斜面は、前記第２の固体光源から出射される光を前記第２入射面へ反射する反射面によって構成される。かかる特徴によれば、照明装置では、分散角が広い光も、反射面に反射させて第２の入射面に照射する。よって、光の利用効率の低下を抑制できる。
【００１５】
上述した第１の特徴において、前記第１配置部材は、前記第１配置面として上面を有する台座部を備える。
【００１６】
上述した第１の特徴において、前記光学ユニットは、前記第１入射面と前記第２入射面とを同一の入射面（例えば、入射面２１ａ）として有する単数の光学素子（例えば、テーパ型ロッドインテグレータ２１）であり、前記第１配置部材と第２配置部材とは、一体物（例えば、コアボード部材１１）で形成されている。かかる特徴によれば、照明装置は、第１の固定光源と第２の固定光源とを、一体の配置部材に配置されたマルチチップ型を用いる場合であっても、第２入射面に照射される光の分散角分布と第１入射面に照射される光の分散角分布との差を抑制することができる。
【００１７】
上述した第１の特徴において、前記第１の固体光源及び前記第２の固体光源は、それぞれ、複数の固体光源によって構成される。
【００１８】
上述した第１の特徴において、前記光学ユニットは、前記第１入射面と前記第２入射面とを同一の入射面として有する単数の光学素子である。前記第１配置部材は、前記第１配置面として上面を有する台座部を備える。前記第２配置部材は、前記第２配置面として底面を有する凹部を備える。前記台座部の傾斜面が前記凹部の傾斜面となるように、前記第１配置部材及び第２配置部材が隣り合わせで配置される。前記台座部の傾斜面は、前記第２の固体光源から出射される光を前記第２入射面へ反射する反射面によって構成される。
【００１９】
第２の特徴に係る投写型映像表示装置（投写型映像表示装置１００）は、上述した照明装置と、前記照明装置から照射された光を変調する光変調素子（例えば、表示パネル３０）と、前記光変調素子によって変調された光をスクリーンに投写する投写レンズ（例えば、投写レンズユニット１１０）とを備える。
【発明の効果】
【００２０】
本発明の特徴によれば、指向性の異なる複数の固体光源を用いつつ、投写映像において色ムラが生じることを抑制する照明装置及び投写型映像表示装置を提供することができる。
【発明を実施するための最良の形態】
【００２１】
本発明の第１実施形態について説明する。なお、以下の図面の記載において、同一または類似の部分には、同一または類似の符号を付している。ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２２】
［第１実施形態］
（本発明の第１実施形態に係る投写型映像表示装置の概略）
本発明の第１実施形態に係る投写型映像表示装置の概略について、図１を参照して説明する。図１に示すように、本実施形態に係る投写型映像表示装置１００は、投写レンズユニット１１０を備えており、投写レンズユニット１１０で拡大された映像光をスクリーン２００上に投写する。また、投写型映像表示装置１００は、赤色光（Ｒ）、緑色光（Ｇ）及び青色光（Ｂ）を使用して、映像光をスクリーン２００に投写する。
【００２３】
（照明装置の概略構成）
次に、図２を参照し、投写型映像表示装置１００に備えられている照明装置１２０の構成について説明する。図２には、投写型映像表示装置１００の概略構成が示されている。投写型映像表示装置１００は、図２に示すように、光源１０と、テーパ型ロッドインテグレータ２１と、表示パネル３０と、投写レンズユニット１１０とを備える。
【００２４】
ここで、本実施形態に係る照明装置１２０は、光源１０と、テーパ型ロッドインテグレータ２１とを含んで構成される。なお、図２では、表示パネル３０と、投写レンズユニット１１０が示されているが、これらは、照明装置１２０に含まれないことに留意すべきである。
【００２５】
光源１０は、色光の異なる複数の固体光源を備える。具体的に、光源１０は、赤色光を出射する赤色ＬＥＤ（発光ダイオード）と、緑色光を出射する緑色ＬＥＤと、青色光を出射する青色ＬＥＤとを備える。つまり、光源１０では、緑色ＬＥＤ及び青色ＬＥＤが出射する光の波長と、赤色ＬＥＤ１０ａが出射する光の波長とが異なる。また、光源１０は、各色ＬＥＤから出射される色光をテーパ型ロッドインテグレータ２１へ照射する。
【００２６】
テーパ型ロッドインテグレータ２１は、入射面２１ａと、テーパを有する反射面２１ｃと、出射面２１ｂとを備える。また、テーパ型ロッドインテグレータ２１は、緑色ＬＥＤ及び青色ＬＥＤが出射する緑色光及び青色光と、赤色ＬＥＤが出射する赤色光とを低分散角化する。具体的に、テーパ型ロッドインテグレータ２１は、光源１０から出射された各色光を入射面２１ａから入射し、入射した各色光を反射面２１ｃで反射することで低分散角化すると共に、出射面２１ｂから表示パネル３０に向けて出射する。
【００２７】
また、テーパ型ロッドインテグレータ２１の入射面２１ａは、緑色ＬＥＤ１０ｂ及び青色ＬＥＤ１０ｃが出射する緑色光及び青色光が照射される入射面（第１入射面）と、赤色ＬＥＤ１０ａが出射する赤色光が照射される入射面（第２入射面）とを構成する。即ち、本実施形態に係るテーパ型ロッドインテグレータ２１は、緑色光及び青色光が照射される入射面と赤色光が照射される入射面とを、同一の入射面２１ａとして備える。なお、本実施形態において、テーパ型ロッドインテグレータ２１は、光学ユニットを構成する。
【００２８】
表示パネル３０は、液晶パネル等、透過型の表示パネルである。また表示パネル３０は、テーパ型ロッドインテグレータ２１から照射された赤色光、緑色光及び青色光を変調し、映像光として投写レンズユニット１１０に出射する。本実施形態において、表示パネル３０は、各色光を変調する光変調素子を構成する。
【００２９】
投写レンズユニット１１０は、表示パネル３０によって変調された映像光をスクリーン２００に投写する。
【００３０】
（光源の概略構成）
次に、本実施形態に係る光源１０の構成ついて具体的に説明する。図３（ａ）には、本実施形態に係る光源１０をテーパ型ロッドインテグレータ２１側から見た際の正面図が示されており、図３（ｂ）には、光源１０の側面図が示されている。ここで、以下、光源１０からの光の出射方向（光軸方向）を水平方向とし、テーパ型ロッドインテグレータ２１の入射面２１ａと平行な方向を垂直方向として説明する。なお、水平方向と垂直方向とは、直交する関係にある。
【００３１】
図３（ａ）乃至（ｂ）に示すように、光源１０は、コアボード部材１１と、赤色光を出射する赤色ＬＥＤ１０ａと、緑色光を出射する緑色ＬＥＤ１０ｂと、青色光を出射する青色ＬＥＤ１０ｃとを備える。
【００３２】
ここで、本実施形態において、赤色ＬＥＤ１０ａから出射される赤色光は、図１６（ａ）に示すような分散角分布であり、緑色ＬＥＤ１０ｂ及び青色ＬＥＤ１０ｃから出射される緑色光及び青色光は、図１６（ｂ）に示すような分散角分布であることとする。つまり、本実施形態において、赤色ＬＥＤ１０ａから出射される赤色光は、緑色ＬＥＤ１０ｂ及び青色ＬＥＤ１０ｃから出射される緑色光及び青色光よりも、指向性が広い。
【００３３】
なお、本実施形態において、緑色ＬＥＤ１０ｂ及び青色ＬＥＤ１０ｃは、第１の指向性の光を出射する第１の固体光源を構成する。また、本実施形態において、赤色ＬＥＤ１０ａは、緑色ＬＥＤ１０ｂ及び青色ＬＥＤ１０ｃよりも、指向性の広い第２の指向性の光を出射する第２の固体光源を構成する。
【００３４】
コアボード部材１１は、緑色ＬＥＤ１０ｂ及び青色ＬＥＤ１０ｃが配置される配置面Ｆ１（第１配置面）と、赤色ＬＥＤ１０ａが配置される配置面Ｆ２（第２配置面）とを備える。また、コアボード部材１１において、配置面Ｆ１及び配置面Ｆ２は、テーパ型ロッドインテグレータ２１の入射面２１ａと対向するように配置されている。
【００３５】
また、コアボード部材１１は、入射面２１ａから所定の距離だけ離れた位置に設けられた基準面と、当該基準面に設けられた凹部１２とを備える。なお、本実施形態において、上述した基準面は、緑色ＬＥＤ１０ｂ及び青色ＬＥＤ１０ｃが配置される配置面Ｆ１と同一の面である。
【００３６】
具体的に、図３（ｂ）に示すように、コアボード部材１１は、配置面Ｆ１において、入射面２１ａ側とは逆の方向に凹む凹部１２を備える。また、赤色ＬＥＤ１０ａが配置される配置面Ｆ２は、凹部１２の底面に設けられている。つまり、コアボード部材１１では、配置面Ｆ２から入射面２１ａまでの距離が、配置面Ｆ１から入射面２１ａまでの水平方向の距離“ｄ”よりも、凹んだ距離“Δｄ”分だけ長くなるように構成されている。
【００３７】
また、本実施形態において、コアボード部材１１は、緑色ＬＥＤ１０ｂ及び青色ＬＥＤ１０ｃが配置される配置面Ｆ１が設けられた第１配置部材を構成する。また、本実施形態において、コアボード部材１１は、赤色ＬＥＤ１０ａが配置される配置面Ｆ２が設けられた第２配置部材を構成する。即ち、本実施形態では、コアボード部材１１によって、第１配置部材と第２配置部材とが、一体物で形成されている。
【００３８】
（固体光源の距離）
次に、配置面Ｆ１から入射面２１ａまでの距離と、配置面Ｆ２から入射面２１ａまでの距離との関係について説明する。図４には、図３（ａ）に示す正面図のＡ−Ａ線の断面図と、テーパ型ロッドインテグレータ２１とが示されている。
【００３９】
ここで、図４に示すように、赤色ＬＥＤ１０ａの厚さを“ｔ”、反射面２１ｃの端から赤色ＬＥＤ１０ａの端までの垂直方向の間隔を“ｈ”、入射面２１ａと配置面Ｆ１との水平方向の距離を“ｄ”、赤色ＬＥＤ１０ａから出射される赤色光の内、入射面２１ａに照射させたい分散角の最大角度を“θ”とすると、入射面２１ａと配置面Ｆ２との水平方向の距離“ｄ+Δｄ”は、下記の式（１）で算出される。
【００４０】
ｄ＋Δｄ＝（ｈ/ｔａｎθ）＋ｔ                ・・・（１）
例えば、赤色ＬＥＤ１０ａの厚さ“ｔ”が「０．５ｍｍ」、入射面２１ａと配置面Ｆ１との距離“ｄ”が、「２ｍｍ」、間隔“ｈ”が「２ｍｍ」、赤色ＬＥＤ１０ａから出射される赤色光の内、分散角“θ”が「３０°」以内の赤色光を入射面２１ａに照射させたい場合、入射面２１ａと配置面Ｆ２との距離“ｄ+Δｄ”は、「３．９６ｍｍ」となる。
【００４１】
このように、照明装置１２０では、入射面２１ａから式（１）により算出した“ｄ＋Δｄ”だけ離れた位置に配置面Ｆ２を設けて、赤色ＬＥＤ１０ａを配置することで、図４に示すように、例えば、分散角“θ”よりも大きい分散角“θＸ”の赤色光の一部が、入射面２１ａに照射されなくなる。
【００４２】
なお、凹部１２は、他の形状で形成されていてもよい。例えば、凹部１２は、図５（ａ）の正面図や、図５（ｂ）の断面図（Ｂ−Ｂ線の断面図）に示すように、配置面Ｆ１の一部を切り欠くことで凹ませて形成されていてもよい。更に、凹部１２は、四角形状に限らず丸形状に凹んで形成（図示せず）されていてもよい。
【００４３】
（作用及び効果）
本実施形態に係る投写型映像表示装置１００によれば、緑色ＬＥＤ１０ｂ及び青色ＬＥＤ１０ｃが配置される配置面Ｆ１から、テーパ型ロッドインテグレータ２１の入射面２１ａまでの距離よりも、赤色ＬＥＤ１０ａが配置される配置面Ｆ２から、入射面２１ａまでの距離の方が長い。
【００４４】
よって、従来技術に係る照明装置であれば、分散角の大きい赤色光も入射面２１ａに照射されていたが、上述した照明装置１２０では、赤色ＬＥＤ１０ａから出射される赤色光の内、分散角の小さい赤色光が入射面２１ａに照射され、分散角の大きい赤色光が入射面２１ａに照射されることを抑制する。つまり、照明装置１２０では、赤色ＬＥＤ１０ａから照射される赤色光の分散角分布と、緑色ＬＥＤ１０ｂ及び青色ＬＥＤ１０ｃから照射される緑色光及び青色光の分散角分布との差を低減して、各色光がテーパ型ロッドインテグレータ２１の入射面２１ａに入射される。そして、照明装置１２０では、テーパ型ロッドインテグレータ２１が、分散角分布の差が低減された各色光を表示パネル３０に照射する。
【００４５】
よって、本実施形態に係る投写型映像表示装置１００によれば、指向性の異なる複数の固体光源（赤色ＬＥＤ１０ａ、緑色ＬＥＤ１０ｂ及び青色ＬＥＤ１０ｃ）を用いつつ、投写映像において色ムラが生じることを抑制することができる。
【００４６】
また、本実施形態に係る投写型映像表示装置１００によれば、照明装置１２０は、緑色ＬＥＤ１０ｂ及び青色ＬＥＤ１０ｃを配置する配置面Ｆ１と、当該配置面Ｆ１に設けられた凹部１２の底面に、赤色ＬＥＤ１０ａを配置する配置面Ｆ２を備える。よって、照明装置１２０は、緑色ＬＥＤ１０ｂ及び青色ＬＥＤ１０ｃと、赤色ＬＥＤ１０ａとを、一体のコアボード部材１１に配置するマルチチップ型を用いる場合であっても、入射面２１ａに照射される赤色光の分散角分布と、緑色光及び青色光の分散角分布との差を低減することができる。
【００４７】
［第２実施形態］
本発明の第２実施形態に係る照明装置１２０の概略について、第１実施形態との相違点に着目して説明する。図６（ａ）には、本実施形態に係る光源１０を、テーパ型ロッドインテグレータ２１側から見た際の正面図が示されており、図６（ｂ）には、図６（ａ）に示す正面図のＣ−Ｃ線の断面図が示されている。
【００４８】
図６（ａ）乃至（ｂ）に示すように、本実施形態に係る光源１０において、凹部１２は、底面から配置面Ｆ１（基準面）に至る側壁に、赤色ＬＥＤ１０ａから出射される赤色光を入射面２１ａへ反射する反射面１２ａ乃至１２ｄを、更に備える。
【００４９】
（反射面で反射される赤色光）
次に、上述した反射面１２ａ乃至１２ｄによって反射される赤色光に関して、反射面１２ａに着目して説明する。図７には、赤色ＬＥＤ１０ａと、反射面１２ａと、テーパ型ロッドインテグレータ２１との断面図が示されている。
【００５０】
ここで、図７に示すように、側壁に備えられている反射面１２ａの傾斜角度を“θ１”、赤色ＬＥＤ１０ａから出射される赤色光の発光面からの角度を“θ２”、入射面２１ａに照射させたい赤色光の分散角を“θ３”とする。なお、発光面から角度“θ２”の範囲の赤色光は、発光面から入射面２１aに直接照射されない赤色光の一部である。また、反射面１２ａで反射した赤色光と反射面１２ａとの角度“θＡ”は、下記の式（２）によって示される。なお、ここでは、“θ１”よりも“θ２”の方が小さい角度であることとして説明する。
【００５１】
θＡ＝θ１−θ２            ・・・（２）
また、反射面１２ａで反射した赤色光の入射面２１ａに対する入射角“θＢ”は、下記の式（３）によって示される。
【００５２】
θＢ＝｜９０°−θ１−θＡ｜＝｜９０°−２＊θ１＋θ２｜・・・（３）
入射面２１ａに照射させたい赤色光の分散角を“θ３”の範囲の赤色光とすると、下記の式（４）に示すように、入射角“θＢ”が、“θ３”以下になることが好ましい。
【００５３】
｜θＢ｜≦｜θ３｜          ・・・（４）
例えば、反射面１２ａの傾斜角度“θ１”を“４５°”とすると、上述した式（３）から、照明装置１２０では、赤色ＬＥＤ１０ａの発光面からの角度“θ２”「０°」から「３０°」までの範囲の赤色光を反射面１２ａで反射させて、入射角“θＢ”「０°」から「３０°」の範囲の赤色光として入射面２１ａに照射させることができる。
【００５４】
発光面からの角度“θ２”「０°」から「３０°」までの範囲の赤色光は、図１６（ａ）に示す分散角「６０°」から「９０°」又は「−９０°」から「−６０°」の範囲の赤色光である。よって、分散角“θ３”の範囲の赤色光を入射面２１ａに照射するように、赤色ＬＥＤ１０ａを入射面２１ａから離して設けた場合、発光面からの角度“θ２”までの範囲の赤色光は、入射面２１ａに照射されない赤色光の一部であるが、反射面１２ａで反射させることで、分散角“θ３”の範囲内の赤色光として入射面２１ａに照射することができる。
【００５５】
なお、反射面１２ａの傾斜角度“θ１”は、「４５°」に限定されるものではなく、入射面２１ａに照射させたい赤色光の入射角“θＢ”に応じて設計すればよい。
【００５６】
（作用及び効果）
本実施形態に係る投写型映像表示装置１００によれば、照明装置１２０は、分散角の大きい赤色光も、反射面１２ａ乃至１２ｄに反射させてテーパ型ロッドインテグレータ２１の入射面２１ａに照射する。よって、赤色光の利用効率の低下を抑制できる。また、照明装置１２０では、赤色ＬＥＤ１０ａから出射される分散角の大きい赤色光を、反射面１２ａに反射させることで、分散角が小さい赤色光（入射面２１ａに直接照射される赤色光）の入射角に近づけて入射面２１ａに照射することができる。
【００５７】
［第３実施形態］
本発明の第３実施形態に係る投写型映像表示装置１００について、第１実施形態との相違点に着目して説明する。第１実施形態に係る投写型映像表示装置１００において、照明装置１２０は、赤色ＬＥＤ１０ａと、緑色ＬＥＤ１０ｂ及び青色ＬＥＤ１０ｃとが、同一のコアボード部材１１に配置するように構成されていたが、本実施形態に係る照明装置１２０は、赤色ＬＥＤ１０ａと、緑色ＬＥＤ１０ｂ及び青色ＬＥＤ１０ｃとを、別々のコアボード部材に配置するように構成されている。
【００５８】
図８には、本実施形態に係る投写型映像表示装置１００の概略が示されている。図８に示すように、本実施形態に係る投写型映像表示装置１００は、光源１０_１乃至１０_２と、テーパ型ロッドインテグレータ２２乃至２３と、表示パネル３０ａ乃至３０ｂと、ダイクロイックプリズム１６と、投写レンズユニット１１０とを備える。
【００５９】
ここで、本実施形態に係る照明装置１２０は、光源１０_１乃至１０_２と、テーパ型ロッドインテグレータ２２乃至２３とを含んで構成されている。なお、図８では、表示パネル３０ａ乃至３０ｂと、ダイクロイックプリズム１６と、投写レンズユニット１１０とが示されているが、これらは、照明装置１２０には含まれていないことに留意すべきである。
【００６０】
光源１０_１は、緑色ＬＥＤ１０ｂ及び青色ＬＥＤ１０ｃが配置される配置面Ｆ１（第１配置面）が設けられたコアボード部材１１ａ（第１配置部材）を備える。また、光源１０_１では、コアボード部材１１ａの配置面Ｆ１と、テーパ型ロッドインテグレータ２２の入射面２２ａ（後述）とが、対向するように配置されている。
【００６１】
光源１０_２は、赤色ＬＥＤ１０ａが配置される配置面Ｆ２（第２配置面）が設けられたコアボード部材１１ｂ（第２配置部材）を備える。また、光源１０_２では、コアボード部材１１ｂの配置面Ｆ２と、テーパ型ロッドインテグレータ２３の入射面２３ａ（後述）とが、対向するように配置されている。
【００６２】
テーパ型ロッドインテグレータ２２は、緑色ＬＥＤ１０ｂ及び青色ＬＥＤ１０ｃが出射する緑色光及び青色光が照射される入射面２２ａ（第１入射面）を備える。また、テーパ型ロッドインテグレータ２２は、入射した緑色光及び青色光を低分散角化し、表示パネル３０ａに出射する。
【００６３】
テーパ型ロッドインテグレータ２３は、赤色ＬＥＤ１０ａが出射する赤色光が照射される入射面２３ａ（第２入射面）を備える。また、テーパ型ロッドインテグレータ２３は、入射した赤色光を低分散角化し、表示パネル３０ｂに出射する。なお、上述したテーパ型ロッドインテグレータ２２とテーパ型ロッドインテグレータ２３とは、入射面の面積、出射面の面積、反射面の角度等が、同一の構造で構成されている。また、本実施形態において、テーパ型ロッドインテグレータ２２乃至２３は、光学ユニットを構成する。
【００６４】
表示パネル３０ａ乃至３０ｂは、液晶パネル等の透過型の表示パネルである。表示パネル３０ａは、テーパ型ロッドインテグレータ２２から出射された緑色光及び青色光を変調し、映像光としてダイクロイックプリズム１６に出射する。また、表示パネル３０ｂは、テーパ型ロッドインテグレータ２３から出射された赤色光を変調して、映像光としてダイクロイックプリズム１６に出射する。
【００６５】
ダイクロイックプリズム１６は、赤色光を反射して緑色光及び青色光を透過するダイクロイック面を備える。また、ダイクロイックプリズム１６は、表示パネル３０ａ乃至３０ｂによって変調された映像光を投写レンズユニット１１０に導く。投写レンズユニット１１０は、ダイクロイックプリズム１６によって導かれた映像光をスクリーン２００に投写する。
【００６６】
（光源の構成）
次に、光源１０_２の構成について具体的に説明する。光源１０_２では、赤色ＬＥＤ１０ａが配置されている配置面Ｆ２から入射面２３ａまでの距離は、緑色ＬＥＤ１０ｂ及び青色ＬＥＤ１０ｃが配置されている配置面Ｆ１から入射面２２ａまでの距離“ｄ”よりも距離“Δｄ”だけ長い。
【００６７】
具体的に、図９に示すように、光源１０_２では、コアボード部材１１ｂが、入射面２３ａから所定の距離だけ水平方向に離れた位置に設けられた基準面Ｆ０と、当該基準面Ｆ０に設けられた凹部１２とを備える。
【００６８】
ここで、基準面Ｆ０から入射面２３ａまでの所定の距離は、緑色ＬＥＤ１０ｂ及び青色ＬＥＤ１０ｃが配置されている配置面Ｆ１から入射面２２ａまでの距離“ｄ”と等しい。また、コアボード部材１１ｂは、赤色ＬＥＤ１０ａが配置される配置面Ｆ２を、凹部１２の底面に設けている。
【００６９】
つまり、図９に示すように、コアボード部材１１ｂでは、赤色ＬＥＤ１０ａが配置される配置面Ｆ２から入射面２３ａまでの距離が、緑色ＬＥＤ１０ｂ及び青色ＬＥＤ１０ｃが配置される配置面Ｆ１から入射面２１ａまでの水平方向の距離“ｄ”よりも、凹んだ距離“Δｄ”分だけ長くなるように構成されている。なお、距離“Δｄ”は、上述した式（１）に基づいて算出される。
【００７０】
（作用及び効果）
本実施形態に係る投写型映像表示装置１００によれば、照明装置１２０では、赤色ＬＥＤ１０ａを配置する配置面Ｆ２から入射面２３ａまでの距離が、緑色ＬＥＤ１０ｂ及び青色ＬＥＤ１０ｃを配置する配置面Ｆ１から入射面２２ａまでの距離“ｄ”よりも距離Δｄだけ長く配置する。
【００７１】
これにより、照明装置１２０は、赤色ＬＥＤ１０ａから出射される赤色光の内、分散角の大きい光が、入射面２１ａに入射されることを抑制する。つまり、照明装置１２０では、赤色ＬＥＤ１０ａから照射される赤色光の分散角分布と、緑色ＬＥＤ１０ｂ及び青色ＬＥＤ１０ｃから照射される緑色光及び青色光の分散角分布との差を低減して、各色光がテーパ型ロッドインテグレータ２２乃至２３の入射面２２ａ乃至２３ａに入射される。そして、照明装置１２０では、テーパ型ロッドインテグレータ２２乃至２３が、分散角分布の差が低減された各色光を表示パネル３０ａ乃至３０ｂに照射する。
【００７２】
よって、本実施形態に係る投写型映像表示装置１００によれば、指向性の異なる複数の固体光源（赤色ＬＥＤ１０ａ、緑色ＬＥＤ１０ｂ及び青色ＬＥＤ１０ｃ）を用いつつ、投写映像において色ムラが生じることを抑制することができる。
【００７３】
（変更例）
上述した第３実施形態の変更例について説明する。上述した第３実施形態において、第２実施形態に示すように、凹部１２が、底面から基準面Ｆ０に至る側壁に、赤色ＬＥＤ１０ａから出射される赤色光を入射面２２ａへ反射する反射面１２ａ乃至１２ｄを備えるように構成されていてもよい。
【００７４】
本実施形態に係る投写型映像表示装置１００によれば、照明装置１２０は、分散角の大きい赤色光も、反射面１２ａ乃至１２ｄに反射させてテーパ型ロッドインテグレータ２１の入射面２１ａに照射する。よって、赤色光の利用効率の低下を抑制できる。
【００７５】
［第４実施形態］
本発明の第４実施形態に係る投写型映像表示装置１００について、第１乃至第３実施形態との相違点に着目して説明する。第１実施形態に係る投写型映像表示装置１００において、照明装置１２０は、赤色ＬＥＤ１０ａと、緑色ＬＥＤ１０ｂ及び青色ＬＥＤ１０ｃとが、同一のコアボード部材１１に配置するように構成されていたが、本実施形態に係る照明装置１２０は、赤色ＬＥＤ１０ａと、緑色ＬＥＤ１０ｂと、青色ＬＥＤ１０ｃとを、それぞれ別々の配置部材に配置するように構成されている。
【００７６】
図１０には、本実施形態に係る投写型映像表示装置１００の概略構成が示されている。本実施形態に係る投写型映像表示装置１００は、光源１０_２乃至１０_４と、テーパ型ロッドインテグレータ２３乃至２５と、反射ミラー１７ａ乃至１７ｂと、クロスダイクロイックプリズム１８と、表示パネル３０と、投写レンズユニット１１０とを備える。
【００７７】
ここで、本実施形態に係る照明装置１２０は、光源１０_２乃至１０_４と、テーパ型ロッドインテグレータ２３乃至２４とを含んで構成されている。なお、図１０では、反射ミラー１７ａ乃至１７ｂと、クロスダイクロイックプリズム１８と、表示パネル３０と、投写レンズユニット１１０とが示されているが、これらは、照明装置１２０に含まれないことに留意すべきである。
【００７８】
光源１０_２は、第２実施形態に係る光源１０_２と同様の構成であるため、ここでは説明を省略する。
【００７９】
光源１０_３は、緑色ＬＥＤ１０ｂが配置される配置面Ｆ３（第１配置面）が設けられたコアボード部材１１ｃ（第１配置部材）を備える。また、光源１０_３では、コアボード部材１１ｃの配置面Ｆ３と、テーパ型ロッドインテグレータ２４の入射面２４ａ（後述）とが対向するように配置されている。
【００８０】
光源１０_４は、青色ＬＥＤ１０ｃが配置される配置面Ｆ４（第１配置面）が設けられたコアボード部材１１ｄ（第１配置部材）を備える。また、光源１０_４では、コアボード部材１１ｄの配置面Ｆ４と、テーパ型ロッドインテグレータ２５の入射面２５ａ（後述）とが対向するように配置されている。
【００８１】
なお、緑色ＬＥＤ１０ｂが配置される配置面Ｆ３から入射面２４ａまでの距離と、青色ＬＥＤ１０ｃが配置される配置面Ｆ４から入射面２５ａまでの距離とは、距離“ｄ”で等しい。また、赤色ＬＥＤが配置される配置面Ｆ２から入射面２３ａまでの距離は、配置面Ｆ３（又は配置面Ｆ４）から、入射面２４ａ（又は入射面２５ａ）までの距離“ｄ”よりも距離Δｄだけ長い。
【００８２】
テーパ型ロッドインテグレータ２３は、赤色ＬＥＤ１０ａが出射する赤色光が照射される入射面２３ａ（第２入射面）を備える。また、テーパ型ロッドインテグレータ２３は、入射した赤色光を低分散角化し、反射ミラー１７ｂに出射する。
【００８３】
テーパ型ロッドインテグレータ２４は、緑色ＬＥＤ１０ｂが出射する緑色光が照射される入射面２４ａ（第１入射面）を備える。また、テーパ型ロッドインテグレータ２４は、入射した緑色光を低分散角化し、クロスダイクロイックプリズム１８に出射する。
【００８４】
テーパ型ロッドインテグレータ２５は、青色ＬＥＤ１０ｃが出射する青色光が照射される入射面２５ａ（第１入射面）を備える。また、テーパ型ロッドインテグレータ２５は、入射した青色光を低分散角化し、反射ミラー１７ａに出射する。
【００８５】
なお、上述したテーパ型ロッドインテグレータ２３乃至２５は、入射面の面積、出射面の面積、反射面の角度等が、同一の構造で構成されている。また、本実施形態において、テーパ型ロッドインテグレータ２３乃至２５は、光学ユニットを構成する。
【００８６】
反射ミラー１７ａは、テーパ型ロッドインテグレータ２５から出射された青色光を、クロスダイクロイックプリズム１８側に反射する。反射ミラー１７ｂは、テーパ型ロッドインテグレータ２３から出射された赤色光を、クロスダイクロイックプリズム１８側に反射する。
【００８７】
クロスダイクロイックプリズム１８は、赤色光及び青色光を反射して緑色光を透過するダイクロイック面を備える。また、クロスダイクロイックプリズム１８は、テーパ型ロッドインテグレータ２３乃至２５から出射された赤色光、緑色光及び青色光を表示パネル３０に導く。
【００８８】
表示パネル３０と投写レンズユニット１１０とは、第１実施形態に係る表示パネル３０及び投写レンズユニット１１０と同様の構成であるため、ここでは説明を省略する。
【００８９】
（作用及び効果）
本実施形態に係る投写型映像表示装置１００によれば、照明装置１２０では、赤色ＬＥＤ１０ａを配置する配置面Ｆ２から入射面２３ａまでの距離が、緑色ＬＥＤ１０ｂ（又は青色ＬＥＤ１０ｃ）を配置する配置面Ｆ３（又は配置面Ｆ４）から入射面２４ａ（又は入射面２５ａ）までの距離“ｄ”よりも、距離“Δｄ”だけ長く配置される。
【００９０】
これにより、照明装置１２０は、赤色ＬＥＤ１０ａから出射される赤色光の内、分散角の大きい光が、入射面２１ａに入射されることを抑制する。つまり、照明装置１２０では、赤色ＬＥＤ１０ａから照射される赤色光の分散角分布と、緑色ＬＥＤ１０ｂ及び青色ＬＥＤ１０ｃから照射される緑色光及び青色光の分散角分布との差を低減して、各色光がテーパ型ロッドインテグレータ２３乃至２５の入射面２３ａ乃至２５ａに入射される。そして、照明装置１２０では、テーパ型ロッドインテグレータ２３乃至２５が、反射ミラー１７ａ乃至１７ｂと、クロスダイクロイックプリズム１８とを介して、分散角分布の差が低減された各色光を表示パネル３０に照射する。
【００９１】
よって、本実施形態に係る投写型映像表示装置１００によれば、指向性の異なる複数の固体光源（赤色ＬＥＤ１０ａ、緑色ＬＥＤ１０ｂ及び青色ＬＥＤ１０ｃ）を用いつつ、投写映像において色ムラが生じることを抑制することができる。
【００９２】
［第５実施形態］
以下において、第５実施形態に係る光源１０について、第１実施形態との相違点に着目して説明する。図１１（ａ）には、第５実施形態に係る光源１０を、テーパ型ロッドインテグレータ２１側から見た際の正面図が示されており、図１１（ｂ）には、図１１（ａ）に示す正面図のＤ−Ｄ線の断面図が示されている。
【００９３】
図１１（ａ）乃至（ｂ）に示すように、コアボード部材１１は、配置面Ｆ１を上面として有する台座部１３を有する。台座部１３は、コアボード部材１１の配置面Ｆ２上に設けられている。台座部１３の高さは、上述したΔｄに相当する。
【００９４】
第１実施形態と同様に、配置面Ｆ１上には、緑色ＬＥＤ１１ｂが配置される。配置面Ｆ２上には、赤色ＬＥＤ１１ａが配置される。従って、配置面Ｆ２からテーパ型ロッドインテグレータ（入射面）までの距離は、配置面Ｆ１からテーパ型ロッドインテグレータ（入射面）までの距離よりも長い。
【００９５】
なお、分散角の大きい光（赤色光）がテーパ型ロッドインテグレータに入射することを抑制する仕組みについては、第１実施形態と同様であることに留意すべきである。
【００９６】
（作用及び効果）
第５実施形態によれば、配置面Ｆ２からテーパ型ロッドインテグレータ（入射面）までの距離は、配置面Ｆ１からテーパ型ロッドインテグレータ（入射面）までの距離よりも長い。従って、第１実施形態と同様の効果が得られる。
【００９７】
［第６実施形態］
以下において、第６実施形態に係る光源１０について、第５実施形態との相違点に着目して説明する。図１２（ａ）には、第６実施形態に係る光源１０を、テーパ型ロッドインテグレータ２１側から見た際の正面図が示されており、図１２（ｂ）には、図１２（ａ）に示す正面図のＥ−Ｅ線の断面図が示されている。
【００９８】
図１２（ａ）に示すように、光源１０は、複数の赤色ＬＥＤ１０ａと、複数の緑色ＬＥＤ１０ｂと、複数の青色ＬＥＤ１０ｃと、コアボード部材１１とを備える。
【００９９】
ここで、各ＬＥＤが出射する光の指向性は、以下の関係を有することに留意すべきである。具体的には、各色光の指向性は、赤色光の指向性＞青色光の指向性＞緑色光の指向性という関係を有する。
【０１００】
図１２（ａ）乃至（ｂ）に示すように、コアボード部材１１は、配置面Ｆ１を上面として有する台座部１３ａと、配置面Ｆ３を上面として有する台座部１３ｂとを有する。台座部１３ａ及び台座部１３ｂは、コアボード部材１１の配置面Ｆ２上に設けられている。台座部１３ａの高さは、Δｄ１（上述したΔｄ）であり、台座部１３ｂの高さは、Δｄ２（＜Δｄ１）である。
【０１０１】
すなわち、配置面Ｆ１からテーパ型ロッドインテグレータ（入射面）までの距離は、配置面Ｆ３からテーパ型ロッドインテグレータ（入射面）までの距離よりも長い。配置面Ｆ３からテーパ型ロッドインテグレータ（入射面）までの距離は、配置面Ｆ２からテーパ型ロッドインテグレータ（入射面）までの距離よりも長い。
【０１０２】
なお、分散角の大きい光（赤色光）がテーパ型ロッドインテグレータに入射することを抑制する仕組みについては、第１実施形態と同様であることに留意すべきである。
【０１０３】
（作用及び効果）
第６実施形態によれば、各ＬＥＤが有する指向性に応じて、台座部の高さが異なるため、分散角が大きい光がテーパ型ロッドインテグレータに入射することを各色光毎に抑制することができる。
【０１０４】
［第７実施形態］
以下において、第７実施形態に係る光源１０について、第１実施形態及び第５実施形態との相違点に着目して説明する。図１３（ａ）には、第７実施形態に係る光源１０を、テーパ型ロッドインテグレータ２１側から見た際の正面図が示されており、図１３（ｂ）には、図１３（ａ）に示す正面図のＦ−Ｆ線の断面図が示されている。
【０１０５】
図１３（ａ）乃至（ｂ）に示すように、コアボード部材１１は、配置面Ｆ２を底面として有する凹部１２と、配置面Ｆ１を上面として有する台座部１３とを有する。コアボード部材１１では、台座部１３の斜面１４が凹部１２の斜面となるように、凹部１２及び台座部１３が隣り合わせで配置されている。すなわち、台座部１３の斜面及び凹部の斜面は連続している。凹部１２の底面（配置面Ｆ２）と台座部１３の上面（配置面Ｆ１）との高低差は、上述したΔｄに相当する。
【０１０６】
第１実施形態と同様に、配置面Ｆ１上には、緑色ＬＥＤ１１ｂが配置される。配置面Ｆ２上には、赤色ＬＥＤ１１ａが配置される。従って、配置面Ｆ２からテーパ型ロッドインテグレータ（入射面）までの距離は、配置面Ｆ１からテーパ型ロッドインテグレータ（入射面）までの距離よりも長い。
【０１０７】
なお、分散角の大きい光（赤色光）がテーパ型ロッドインテグレータに入射することを抑制する仕組みについては、第１実施形態と同様であることに留意すべきである。
【０１０８】
（作用及び効果）
第７実施形態によれば、配置面Ｆ２からテーパ型ロッドインテグレータ（入射面）までの距離は、配置面Ｆ１からテーパ型ロッドインテグレータ（入射面）までの距離よりも長い。従って、第１実施形態と同様の効果が得られる。
【０１０９】
（変更例）
上述した第７実施形態の変更例について説明する。上述した第７実施形態において、第２実施形態に示すように、凹部１２の斜面（すなわち、台座部１３の斜面１４）が反射面によって構成されていてもよい。
【０１１０】
［第８実施形態］
以下において、第８実施形態に係る投写型映像表示装置について説明する。図１４は、第８実施形態に係る投写型映像表示装置を示す図である。なお、図１４では、図２と同様の構成について同様の符号を付していることに留意すべきである。
【０１１１】
図１４に示すように、投写型映像表示装置１００は、光源１０と、テーパ型ロッドインテグレータ２１と、レンズ１３０と、反射ミラー１４０と、ＤＭＤ１５０と、レンズ１６０と、投写レンズ１１０とを有する。
【０１１２】
レンズ１３０は、テーパ型ロッドインテグレータ２１から出射された光をＤＭＤ１５０に集光するレンズである。
【０１１３】
反射ミラー１４０は、テーパ型ロッドインテグレータ２１から出射された光をＤＭＤ１５０側に反射する。なお、反射ミラー１４０は、テーパ型ロッドインテグレータ２１から出射された光の光路上に設けられているが、ＤＭＤ１５０で反射された光（有効光）の光路上に設けられていないことに留意すべきである。
【０１１４】
ＤＭＤ１５０は、複数の微少レンズによって構成される（Ｄｉｇｉｔａｌ  Ｍｉｃｏｒｏｍｉｒｒｏｒ  Ｄｅｖｉｃｅ）。各微少レンズの角度は、映像入力信号に応じて調整される。ＤＭＤ１５０で反射された光（有効光）は、反射ミラー１４０を通らずに投写レンズ１１０に導かれる。
【０１１５】
レンズ１６０ａ及レンズ１６０ｂは、ＤＭＤ１５０で反射された光を投射レンズ１１０に集光する。
【０１１６】
ここで、光源１０の構成及び配置は、上述した第１実施形態〜第６実施形態のいずれかと同様であることに留意すべきである。また、光源１０の構成及び配置を除けば、投写型映像表示装置１００の構成は一般的な構成と同様である。
【０１１７】
［その他の実施形態］
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【０１１８】
例えば、上述した第３乃至４実施形態において、照明装置１２０では、光源１０_２が、凹部１２を備えるように構成されていたが、当該凹部１２を備えず、単に光源１０_２を、テーパ型ロッドインテグレータ２３の入射面２３ａから、他の光源よりも距離“Δｄ”だけ離れた位置に配置してもよい。
【０１１９】
また、上述した第１乃至４実施形態において、光源１０が、赤色光を出射する赤色ＬＥＤ１０ａと、緑色光及び青色光を出射する緑色ＬＥＤ１０ｂ及び青色ＬＥＤ１０ｃとを備える場合を例に挙げて説明したが、色光の種類はこれに限定されるものではない。
【０１２０】
また、上述した第１乃至４実施形態において、照明装置１２０には、固体光源としてＬＥＤ（発光ダイオード）を例に挙げて説明したが、ＬＥＤに限定されず様々な固体光源に適用することが可能である。つまり、本発明は、指向性の異なる様々な固体光源を備える照明装置に適用することが可能である。
【０１２１】
テーパ型ロッドインテグレータは、ガラスなどの透明部材によって構成された中実ロッドであってもよく、ミラー面によって囲まれた中空ロッドであってもよい。
【０１２２】
また、各実施形態及び各変更例の構成は、それぞれ組み合わせることが可能である。また、各実施形態及び各変更例の作用及び効果は、本発明から生じる最も好適な作用及び効果を列挙したに過ぎず、本発明による作用及び効果は、各実施形態に記載されたものに限定されるものではない。このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１２３】
【図１】第１実施形態に係る投写型映像表示装置１００の全体概略構成を示す図である。
【図２】第１実施形態に係る投写型映像表示装置１００及び照明装置１２０の概略構成を示す図である。
【図３】（ａ）第１実施形態に係る光源１０の概略構成を示す正面図である。（ｂ）第１実施形態に係る光源１０の概略構成を示す側面図である。
【図４】第１実施形態に係る光源１０とテーパ型ロッドインテグレータ２１との距離の関係を示す図である。
【図５】（ａ）第１実施形態に係る光源１０の他の構成例を示す正面図である。（ｂ）第１実施形態に係る光源１０の他の構成を示す側面図である。
【図６】（ａ）第２実施形態に係る光源１０の構成を示す正面図である。（ｂ）第２実施形態に係る光源１０の構成を示す側面図である。
【図７】第２実施形態に係る光源１０に備えられている反射面の角度を示す図である。
【図８】第３実施形態に係る投写型映像表示装置１００及び照明装置１２０の概略構成を示す図である。
【図９】第３実施形態に係る光源１０の他の構成例とテーパ型ロッドインテグレータ２１との距離の関係を示す図である。
【図１０】第４実施形態に係る投写型映像表示装置１００及び照明装置１２０の概略構成を示す図である。
【図１１】（ａ）第５実施形態に係る光源１０の構成を示す正面図である。（ｂ）第５実施形態に係る光源１０の構成を示す側面図である。
【図１２】（ａ）第６実施形態に係る光源１０の構成を示す正面図である。（ｂ）第６実施形態に係る光源１０の構成を示す側面図である。
【図１３】（ａ）第７実施形態に係る光源１０の構成を示す正面図である。（ｂ）第７実施形態に係る光源１０の構成を示す側面図である。
【図１４】第８実施形態に係る投写型映像表示装置１００を示す図である。
【図１５】従来技術に係る投写型映像表示装置１００の概略構成を示す図である。
【図１６】（ａ）赤色ＬＥＤの分散角分布を示したグラフである。（ｂ）緑色ＬＥＤ及び青色ＬＥＤの分散角分布を示したグラフである。
【符号の説明】
【０１２４】
１０…光源、１０_１乃至１０_４…光源、１０ａ…赤色ＬＥＤ、１０ｂ…緑色ＬＥＤ、１０ｃ…青色ＬＥＤ、１１…コアボード部材、１１ａ乃至ｄ…コアボード部材、１２…凹部、１２ａ乃至１２ｄ…反射面、１６…ダイクロイックプリズム、１７ａ乃至１７ｂ…反射ミラー、１８…クロスダイクロイックプリズム、２１乃至２５…テーパ型ロッドインテグレータ、２１ａ…入射面、２１ｂ…出射面、２１ｃ…反射面、２１ａ乃至２５ａ…入射面、３０…表示パネル、３０ａ乃至３０ｂ…表示パネル、１００…投写型映像表示装置、１１０…投写レンズユニット、１２０…照明装置、１３０…レンズ、１４０…反射ミラー、１５０…ＤＭＤ、１６０…レンズ、２００…スクリーン
【図１】
2008170966.tif 000003
【図２】
2008170966.tif 000004
【図３】
2008170966.tif 000005
【図４】
2008170966.tif 000006
【図５】
2008170966.tif 000007
【図６】
2008170966.tif 000008
【図７】
2008170966.tif 000009
【図８】
2008170966.tif 000010
【図９】
2008170966.tif 000011
【図１０】
2008170966.tif 000012
【図１１】
2008170966.tif 000013
【図１２】
2008170966.tif 000014
【図１３】
2008170966.tif 000015
【図１４】
2008170966.tif 000016
【図１５】
2008170966.tif 000017
【図１６】
2008170966.tif 000018